(57)【要約】【課題】嵌合状態のハウジング同士の間でガタ付きが発生するのを防止する。【解決手段】第１ハウジング１０は第１嵌合部１６を有し、第２ハウジング２０は第２嵌合部２６を有し、保持部材３０は、両ハウジング１０，２０が嵌合した状態において両嵌合部１６，２６をガタ詰め状態で嵌合させる受け部３１を有する。第１ハウジング１０と第２ハウジング２０を嵌合し、第１嵌合部１６と第２嵌合部２６を受け部３１に嵌合させると、第１ハウジング１０と第２ハウジング２０は保持部材３０を介してガタ詰め状態に保持される。【選択図】図１
2010108669.tif 000002
【特許請求の範囲】
【請求項１】
互いに嵌合可能な第１と第２のハウジングと、
前記第１ハウジング及び前記第２ハウジングとは別体の保持部材とを備え、
前記第１ハウジングには第１嵌合部が形成され、
前記第２ハウジングには第２嵌合部が形成され、
前記保持部材には、前記第１ハウジングと前記第２ハウジングとが嵌合した状態において前記第１嵌合部と前記第２嵌合部とをガタ詰め状態で嵌合させる受け部が形成されていることを特徴とするコネクタ。
【請求項２】
前記第１嵌合部と前記第２嵌合部は突起状をなしており、
前記受け部は、並んだ状態の前記第１嵌合部と前記第２嵌合部を互いに接近する方向へ挟み付け可能な溝状をなしていることを特徴とする請求項１記載のコネクタ。
【請求項３】
前記第１ハウジングと前記第２ハウジングは、嵌合された状態で支持母体に取り付けられるようになっており、
前記保持部材には、前記支持母体に取り付け可能な取付部が形成されていることを特徴とする請求項１又は請求項２記載のコネクタ。
【請求項４】
前記第１ハウジングと前記第２ハウジングのうち少なくとも一方の前記ハウジングには、前記第１嵌合部と前記第２嵌合部とを前記受け部に嵌合した状態において前記保持部材からの離脱を規制するロック部が形成されていることを特徴とする請求項１ないし請求項３のいずれか１項に記載のコネクタ。
【発明の詳細な説明】
【技術分野】
【０００１】
本発明は、コネクタに関するものである。
【背景技術】
【０００２】
特許文献１には、互いに嵌合可能な一対のハウジングと、ハウジングとは別体の連結体とを備えており、この連結部材を介して一対のハウジングを車両等の取付部材に取り付けるようにしたコネクタが開示されている。このコネクタでは、一対のハウジングのうちいずれか一方のハウジングに、連結体を取付け、この連結体を車両に取り付けるようになっている。
【特許文献１】特開２００５−１９０８０６公報
【発明の開示】
【発明が解決しようとする課題】
【０００３】
上記コネクタでは、車両に取り付ける手段である連結体が、一方のハウジングのみに取り付けられており、他方のハウジングは、連結体や車両とは直接係合されていない。一般に、互いに嵌合されるハウジング同士の間には、その嵌合動作の円滑化を図るためのクリアランスが設けられていることから、このクリアランスに起因してハウジング同士が僅かであるがガタ付きを生じる。このガタ付きは、ハウジング間の嵌合状態を大きく左右するものではないが、ハウジングに取り付けられている端子金具同士の接触状態に対しては大きな影響を及ぼす。即ち、ハウジング間でガタ付きが発生すると、端子金具同士の接触部分同士が摺動するため、その接触部分が摩耗したり、端子金具間の接触安定性を低下させるなどの不具合が懸念される。
【０００４】
本発明は上記のような事情に基づいて完成されたものであって、嵌合状態のハウジング同士の間でガタ付きが発生するのを防止することを目的とする。
【課題を解決するための手段】
【０００５】
上記の目的を達成するための手段として、請求項１の発明は、互いに嵌合可能な第１と第２のハウジングと、前記第１ハウジング及び前記第２ハウジングとは別体の保持部材とを備え、前記第１ハウジングには第１嵌合部が形成され、前記第２ハウジングには第２嵌合部が形成され、前記保持部材には、前記第１ハウジングと前記第２ハウジングとが嵌合した状態において前記第１嵌合部と前記第２嵌合部とをガタ詰め状態で嵌合させる受け部が形成されているところに特徴を有する。
【０００６】
請求項２の発明は、請求項１に記載のものにおいて、前記第１嵌合部と前記第２嵌合部は突起状をなしており、前記受け部は、並んだ状態の前記第１嵌合部と前記第２嵌合部を互いに接近する方向へ挟み付け可能な溝状をなしているところに特徴を有する。
【０００７】
請求項３の発明は、請求項１または請求項２に記載のものにおいて、前記第１ハウジングと前記第２ハウジングは、嵌合された状態で支持母体に取り付けられるようになっており、前記保持部材には、前記支持母体に取り付け可能な取付部が形成されているところに特徴を有する。
【０００８】
請求項４の発明は、請求項１ないし請求項３のいずれかに記載のものにおいて、前記第１ハウジングと前記第２ハウジングのうち少なくとも一方の前記ハウジングには、前記第１嵌合部と前記第２嵌合部とを前記受け部に嵌合した状態において前記保持部材からの離脱を規制するロック部が形成されているところに特徴を有する。
【発明の効果】
【０００９】
＜請求項１の発明＞
第１ハウジングと第２ハウジングを嵌合し、第１嵌合部と第２嵌合部を受け部に嵌合させると、第１ハウジングと第２ハウジングは保持部材を介してガタ詰め状態に保持される。
【００１０】
＜請求項２の発明＞
溝状の受け部に、並んだ状態の第１嵌合部と第２嵌合部を嵌合させると、両嵌合部は互いに接近する方向へ挟み付けられるので、ガタ付きが確実に防止される。
【００１１】
＜請求項３の発明＞
嵌合された状態の第１ハウジングと第２ハウジングは、保持部材を介して支持母体に取り付けられる。保持部材は、両ハウジングを支持母体に取り付けるための機能を兼ね備えているので、両ハウジングを支持母体に取り付けるための専用の部材が不要である。
【００１２】
＜請求項４の発明＞
嵌合状態の両ハウジングと保持部材とは、ロック部により嵌合状態にロックされる。
【発明を実施するための最良の形態】
【００１３】
＜実施形態１＞
以下、本発明を具体化した実施形態１を図１乃至図１０を参照して説明する。本実施形態のコネクタは、第１ハウジング１０と、第１ハウジング１０と嵌合可能な第２ハウジング２０と、両ハウジング１０，２０をガタ付きなく保持するための保持部材３０とを備えて構成されている。
【００１４】
第１ハウジング１０は、合成樹脂からなり、端子保持部１１と、端子保持部１１から前方へ突出するフード部１２とを一体に形成したものである。端子保持部１１には、ジョイント端子金具１３が保持されている。ジョイント端子金具１３は、端子保持部１１に圧入により取り付けられる基端部１４と、基端部１４から前方へ突出する細長い複数の端子接触部１５とを一体に形成したものである。
【００１５】
第２ハウジング２０は、合成樹脂からなり、端子収容部２１を有する。端子収容部２１内には、複数の周知形態である雌形の端子金具（図示せず）が収容されている。第１ハウジング１０と第２ハウジング２０は、第２ハウジング２０をフード部１２内に嵌入することによって嵌合される。両ハウジング１０，２０が嵌合された状態では、１つのジョイント端子金具１３の端子接触部１５に対して端子金具が接続され、もって、端子金具同士が導通可能に接続されるようになっている。
【００１６】
保持部材３０は、第１ハウジング１０と第２ハウジング２０を嵌合した状態において、両ハウジング１０，２０の間でガタ付きが発生するのを防止するためのものであり、保持部材３０には、第１ハウジング１０の第１嵌合部１６と第２ハウジング２０の第２嵌合部２６とが嵌合されるようになっている。
【００１７】
保持部材３０は、全体として平板状をなし、その前端側部分には、その上面の一部を浅く幅広の溝状に凹ませた形態の受け部３１が形成されている。受け部３１は、保持部材３０の正面から後方へ切欠した形態であり、受け部３１の正面形状（図１を参照）は、上辺よりも下辺の方が幅広の等脚台形をなしている。この受け部３１の内面は、左右方向に幅広の溝底面と、左右一対の内側面とから構成されている。一対の内側面のうち一方は、オーバーハング状に傾斜した第１受け面３２となっており、他方の内側面は、第１受け面３２とは左右対称なオーバーハング状に傾斜した第２受け面３３となっている。
【００１８】
また、受け部３１内には、ロック用突部３４が上向きに突出する形態で形成されている。ロック用突部３４は、保持部材３０の前端から後方へ延びており、その前後方向と直角な断面形状は方形をなす。このロック用突部３４には、その上面から保持部材３０の下面に貫通するロック孔３５が形成されている。さらに、保持部材３０の後端部（受け部３１よりも後方の端部）は、図示しない自動車のボディなどの支持母体に取り付けられる取付部３６となっている。
【００１９】
第１嵌合部１６は、フード部１２を構成する下面壁に形成されている。下面壁は、そのぼ全幅に亘って切欠されており、この切欠部１７の左右両側縁のうち一方（図１における右側）の側縁から下方へ突出した形態である。第１嵌合部１６は、前後方向（両ハウジング１０，２０の嵌合方向と平行な方向）に延びていて、その延び方向と直角な断面形状は、全長に亘って一定である。この第１嵌合部１６の正面形状（図１及、図４及び図６を参照）は、非等脚台形である。即ち、第１嵌合部１６の外面は、下面と左右両側面とから構成され、一方（図１における左側）の側面は、下面と直角な第１当接面１８となっており、他方（図１における右側）の側面は、下面及び第１当接面１８の双方に対して傾斜した第１係止面１９となっている。第１係止面１９の傾斜角度は、第１受け面３２の傾斜角度と同じ角度である。
【００２０】
第２嵌合部２６は、端子収容部２１の下面から突出するように形成されている。両ハウジング１０，２０が嵌合した状態では、第２嵌合部２６がフード部１２の切欠部１７において下方へ露出する。第２嵌合部２６の左右方向は、第１嵌合部１６に比べて寸法が大きく、第２嵌合部２６をその背面（第１ハウジング１０における正面）から見た形状は、非等脚台形である。即ち、第２嵌合部２６の外面は、第１嵌合部１６と同じく、下面と左右両側面とから構成され、第１嵌合部１６に近い側（図１、図４及び図９における右側）の側面は、下面と直角な第２当接面２８となっており、第１嵌合部１６から遠い側（図１における左側）の側面は、下面及び第２当接面２８の双方に対して傾斜した第２係止面２９となっている。第２係止面２９の傾斜角度は、第２受け面３３の傾斜角度と同じ角度である。また、第２嵌合部２６には、その下面の一部を切欠した形態の逃がし凹部２２が形成されている。この逃がし凹部２２の幅寸法は、ロック用突部３４の幅寸法よりも僅かに大きい。さらに、逃がし凹部２２内には、下方へ突出した形態のロック部２３が形成されている。また、逃がし凹部２２の奥端面（図３における左側の端面）は、ストッパ２４となっている。
【００２１】
次に、本実施形態の作用を説明する。コネクタを組み付ける際には、まず、図４に示すように、第１ハウジング１０と第２ハウジング２０とを嵌合する。この嵌合状態では、第１嵌合部１６の第１当接面１８と第２嵌合部２６の第２当接面２８とが面当たりするように当接する。この後、この嵌合された状態の両ハウジング１０，２０に対し前方から保持部材３０を組み付ける。組付けに際しては、受け部３１内に、第１嵌合部１６と第２嵌合部２６とを嵌入させるとともに、逃がし凹部２２内にロック用突部３４を嵌入させる。
【００２２】
保持部材３０が正しく両ハウジング１０，２０に組み付けられると、受け部３１の奥端のストッパ２４にロック用突部３４が突き当たることにより、それ以上の保持部材３０の組付け動作（図３における左方への移動動作）が規制される。また、図３に示すように、ロック孔３５にロック部２３が嵌入して係止状態となり、この係止作用によって、保持部材３０が両ハウジング１０，２０に対して前方（図３における右方）へ離脱することが規制される。
【００２３】
同じく保持部材３０が両ハウジング１０，２０に対して正しく組み付けられた状態では、図１に示すように、第１係止面１９が第１受け面３２に対して面当たり状態で当接するとともに、第２係止面２９が第２受け面３３に対して面当たり状態で当接する。この左右２箇所の当接作用により、第１嵌合部１６と第２嵌合部２６とが左右から挟み付けられ、この挟み付けにより、第１当接面１８と第２当接面２８は、互いに接近する方向の押圧力を受けて面当たり状態を維持したままで密着する状態に保持される。これにより、両嵌合部１６，２６は、左右方向に離間・接近することを規制されるので、両ハウジング１０，２０間のガタ付きが防止される。換言すると、両ハウジング１０，２０はガタ詰め状態に保持され、これにより、端子金具とジョイント端子金具１３との間での摺動が防止される。
【００２４】
また、受け部３１は、オーバーハング状に傾斜した第１受け面３２と第２受け面３３とを有するアリ溝状をなしていて、この第１受け面３２と第２受け面３３に第１係止面１９と第２係止面２９を係止しているので、保持部材３０が両ハウジング１０，２０に対して下方（保持部材３０によって両嵌合部１６，２６を挟み付ける方向と直角に交差する方向）へ離脱する虞はない。
【００２５】
また、保持部材３０に形成した取付部３６を支持母体（図示せず）に取り付けることにより、嵌合状態の両ハウジング１０，２０を支持母体に支持することができる。即ち、保持部材３０は、両ハウジング１０，２０を支持母体に取り付けるための機能を兼ね備えているので、両ハウジング１０，２０を支持母体に取り付けるための専用の部材が不要となっている。
【００２６】
＜他の実施形態＞
本発明は上記記述及び図面によって説明した実施形態に限定されるものではなく、例えば次のような実施態様も本発明の技術的範囲に含まれる。  
（１）上記実施形態では両嵌合部を並べて接触させた状態で受け部に嵌合させたが、第１嵌合部と第２嵌合部は、互いに非接触の状態で受け部に嵌合させてもよい。
【００２７】
（２）上記実施形態では両嵌合部を共通の受け部に嵌合させたが、第１嵌合部と第２嵌合部とを別々の受け部に嵌合させてもよい。
【００２８】
（３）上記実施形態では第１嵌合部を突起状としたが、第１嵌合部は溝状であってもよい。
【００２９】
（４）上記実施形態では第２嵌合部を突起状としたが、第２嵌合部は溝状であってもよい。
【００３０】
（５）上記実施形態では受け部を溝状としたが、受け部は突起状であってもよい。
【００３１】
（６）上記実施形態では保持部材が両ハウジングを支持母体に取り付けるための機能を兼ね備えるようにしたが、保持部材とは別に設けた専用部材によって両ハウジングを支持母体に取り付けてもよい。
【００３２】
（７）上記実施形態では第１ハウジングが、電線に接続されないジョイント端子を収容する形態であり、第２ハウジングが、電線に接続された端子金具を収容する形態であったが、双方のハウジングが、電線に接続された端子金具を収容する形態であってもよい。
【００３３】
（８）上記実施形態では第２ハウジングのみにロック部を形成したが、ロック部は、第１ハウジングのみに形成してもよく、第１ハウジングと第２ハウジングの両方に形成してもよい。
【図面の簡単な説明】
【００３４】
【図１】実施形態１において嵌合状態の両ハウジングに保持部材を取り付けた状遺体をあらわす正面図
【図２】嵌合状態の両ハウジングに保持部材を取り付けた状遺体をあらわす背面図
【図３】嵌合状態の両ハウジングに保持部材を取り付けた状遺体をあらわす断面図
【図４】第１ハウジングと第２ハウジングとの嵌合状態をあらわす正面図
【図５】第１ハウジングと第２ハウジングとの嵌合状態をあらわす背面図
【図６】第１ハウジングの正面図
【図７】第１ハウジングの断面図
【図８】第２ハウジングの背面図
【図９】第２ハウジングの正面図
【図１０】第２ハウジングの断面図
【符号の説明】
【００３５】
１０…第１ハウジング
１６…第１嵌合部
２０…第２ハウジング
２３…ロック部
２６…第２嵌合部
３０…保持部材
３１…受け部
３６…取付部
【図１】
2010108669.tif 000003
【図２】
2010108669.tif 000004
【図３】
2010108669.tif 000005
【図４】
2010108669.tif 000006
【図５】
2010108669.tif 000007
【図６】
2010108669.tif 000008
【図７】
2010108669.tif 000009
【図８】
2010108669.tif 000010
【図９】
2010108669.tif 000011
【図１０】
2010108669.tif 000012